(57)【要約】【課題】クローラクレーンもしくはトラッククレーンの移動型クレーンを設置する場所を確保して、必要時にのみ移動型クレーンを乗り込ませ、函体の吊り下ろしをスペースを取ることなく、簡単かつ迅速に行うことができるオープンシールド機およびそれを用いた函体設置工法を提供する。【解決手段】左右側壁板と底板からなる機体を前後方向でフロント部２とテール部３に分割し、フロント部２の後端にテール部３の前端を嵌入させ、フロント部２に後方へ向けて中折ジャッキ４を設けてフロント部２とテール部３が相互の嵌合部で屈曲可能として中折れ部１６を形成し、テール部３の後半を函体設置部とし、函体設置部の前側に後方へ向けてシールドジャッキ５を左右に寄せて、また、上下複数段に配設したオープンシールド機１において、テール部３の前半の上床部に移動型クレーン３２の載置ステージ３０を形成し、載置ステージ３０はオープンシールド機１に対して傾斜角変更装置を介して設けた。【選択図】図１
2018105004.tif 000002
【特許請求の範囲】
【請求項１】
左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機のテール部の前半の上床部に移動型クレーンの載置ステージを形成したオープンシールド機において、テール部の前半の上床部に移動型クレーンの載置ステージを形成し、載置ステージはオープンシールド機に対して傾斜角変更装置を介して設けたことを特徴とするオープンシールド機。
【請求項２】
傾斜角変更装置は、オープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる請求項１記載のオープンシールド機。
【請求項３】
フロント部の後半の上床部にトロバケットの載置ステージを形成する請求項1記載のオープンシールド機。
【請求項４】
トロバケットの載置ステージにもオープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を設ける請求項３記載のオープンシールド機。
【請求項５】
既設水路を撤去しながら函体接続による新たな水路を構築する既設水路の改修工事において、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機において、テール部の前半の上床部に移動型クレーンの載置ステージを傾斜角変更装置を介して設けたオープンシールド機を使用し、傾斜角変更装置によりオープンシールド機の移動型クレーンの載置ステージを傾斜するオープンシールド機に対して水平に保ちながら、該載置ステージにクローラクレーンまたはトラッククレーンの移動型クレーンを載せ、該移動型クレーンで函体をテール部の後半の函体設置部で既設函体の最前部に吊り下ろすことを特徴とするオープンシールド機を用いた函体設置工法。
【請求項６】
函体はＵ字溝であり、既設函体の内部をレール台車により移動型クレーン吊り上げ場所である先頭位置まで搬送する請求項５記載のオープンシールド機を用いた函体設置工法。
【請求項７】
既設水路上に設置した覆工板上にショベル系の掘削機を設置し、このショベル系の掘削機でフロント部の刃口内を掘削し、掘削土はフロント部の後半の上床部に形成した載置ステージのトロバケットに入れて搬出する請求項５または請求項６記載のオープンシールド機を用いた函体設置工法。
【発明の詳細な説明】
【技術分野】
【０００１】
本発明は、オープンシールド機およびそれを用いた河川の改修での函体設置工法に関するものである。
【背景技術】
【０００２】
周知のごとくオープンシールド工法は、開削工法（オープン工法）とシールド工法の長所を生かした合理性に富む工法であり、このオープンシールド工法では、シールド機を前方の機体の後端に後方の機体の前端が嵌入して、相互の嵌合部で屈曲可能としてカーブ施工を可能としたり、方向修正を行えるようにしたものがある。
【０００３】
その一例を説明すると、オープンシールド機１は、図８に示すように基本的には左右の側壁板１ａ，１ｂとこれら側壁板１ａ，１ｂと同程度の長さでその間を連結する底板１ｃとからなる前面、後面及び上面を開口したシールド機である。
【０００４】
該オープンシールド機１は図９に示すように機体を前後方向で複数に分割し、フロント部２としての前方の機体の後端にテール部３としての後方の機体の前端が嵌入して、相互の嵌合部で屈曲可能とした中折れ部１６を形成している。
【０００５】
フロント部２は主として掘削を行うもので、前端と上面を開放面としてあり、先端が刃口部となり、機体内で後部に後方へ向けて中折ジャッキ４を左右によせて、また上下複数段に配設している。
【０００６】
これに対してテール部３はコンクリート函体８の設置を行うもので、機体内で前半は前部に後方へ向けてシールドジャッキ５を左右によせて、また上下複数段に配設したジャッキ部であり、後半は函体を吊り下す函体設置部となる。
【０００７】
図中６はフロント部２の前端に設けた可動分割刃口、７はテール部３の後端に設けた側方土留板、９はストラット、１０はプレスバー（押角）である。
【０００８】
このようなオープンシールド機１を使用するオープンシールド工法は、図１０〜図１３に示すように、発進坑と到達坑との間で施工される。発進坑１１内で前記オープンシールド機を組立て、発進坑１１の前の地盤を地上に設置したショベル系の掘削機１２で掘削し、該オープンシールド機１のシールドジャッキ５を伸長して発進坑１１内の反力壁に反力をとってオープンシールド機１を前進させ、地下構造物を形成する第１番目のコンクリート函体８を上方から吊り降し、オープンシールド機１のテール部３内で縮めたシールドジャッキ５の後方にストラット９およびプレスバー１０とともにセットする。
【０００９】
また、発進坑１１はシートパイル等の土留壁で構成し、オープンシールド機１を発進させるにはこの土留壁を一部鏡切りするが、必要に応じて薬液注入等で発進坑１１の前方部分に地盤改良を施しておくこともある。
【００１０】
次いで、同様に掘削機１２でフロント部２の前面又は上面から土砂を掘削しかつ排土してオープンシールド機１を前進させ、前記第１番目のコンクリート函体８の前に第２番目のコンクリート函体８をテール部３内に吊り降す。
【００１１】
以下、同様の掘進及びコンクリート函体８のセット工程を繰返して、順次コンクリート函体８を縦列に地中に埋設し、後方のコンクリート函体８上にダンプ１４で埋戻しを施し、オープンシールド機１が到達坑１３まで達したならばこれを分解・撤去して工事を完了する。図中１５はグラウト機である。
【００１２】
下記特許文献は函体の吊り下ろしをスペースを取ることなく、簡単かつ迅速に行うことができるオープンシールド機として本願発明者が提案し、特許を取得したものである。
【特許文献１】特許第３１９４１９０号公報
【００１３】
図１４に示すように特許文献１は、オープンシールド機１は機体の前後方向で隔壁２９で仕切り、フロント部２の前半を主として掘削を行う掘削部、テール部３の後半をコンクリート函体８の吊降ろして設置する函体設置部とし、函体設置部はその前側に後方へ向けてシールドジャッキ５を左右によせて、また上下複数段に配設した。
【００１４】
オープンシールド機１のテール部３の前記函体設置部の上方に支柱２５と梁材２６からなる架構１７にチェーンブロック等の巻上機１８を前後動および左右動自在に設けてなるコンクリート函体吊降ろし用の門型クレーン１９を立設した。
【００１５】
巻上機１８の前後動および左右動の機構としては、巻上機１８が梁材２６をレールとして自走車輪等で移動できるようにする。
【００１６】
また、前記梁材２６は前方および後方に延設してオープンシールド機１の前方に吊り上げ部２７を突設し、また、後方にコンクリート函体吊り上げ部２１を突設するようにした。これら吊り上げ部２７およびコンクリート函体吊り上げ部２１は巻上機１８が前後方向に移動できる部分である。図中２４はコンクリート函体８の吊り治具である。
【００１７】
前記支柱２５は４本であるが、その各々はオープンシールド機１からジャッキ２２を介在して傾斜修正可能に立上げるようにする。
【００１８】
このようにして掘削機１２で掘削部の前面又は上面から土砂を掘削しかつ排土してオープンシールド機１が前進するときは門型クレーン１９もともに移動する。
【００１９】
そして吊り降ろし用のコンクリート函体８は縦列の並ぶ既設のコンクリート函体８の上面を搬入路として台車２３等でコンクリート函体吊り上げ部２１に下まで運び込み、そのまま巻上機１８で吊り込んでオープンシールド機１の後部の函体設置部の上方まで移動させ、該函体設置部内に吊り降す。
【００２０】
また、掘削時での使用も可能であり、オープンシールド機１の前方に突設した吊り上げ部２７まで巻上機１８を移動させ、この巻上機１８にバケット等（図示せず）を吊り下げて、掘削部に近付けてバックホー等の掘削機で掘削した土砂をバケット等に受け、そのまま後方に移動させ、ダンプ等に積み替えることなどができる。
【００２１】
なお、オープンシールド機１は方向およびピッチング、ローリングに対して修正しながら進行するが、このようなコンクリート函体８の吊り降ろしを行う時にオープンシールド機１が傾いている場合には門型クレーン１９も傾いているが、４個のジャッキ２２を適宜伸縮して傾斜計を見ながら門型クレーン１９が水平になるようにしてから作業を行う。
【発明の開示】
【発明が解決しようとする課題】
【００２２】
前記特許文献１はコンクリート函体８の吊り降ろしを行うために門型クレーン１９を常時設置するものであり、オープンシールド機１が前進するときは門型クレーン１９もともに移動する。
【００２３】
従って、オープンシールド機１のピッチング、ローリングに対して門型クレーン１９の傾きも対処せねばならず、４個のジャッキ２２を適宜伸縮して傾斜計を見ながら門型クレーン１９が水平になるようにしているが、その修正はかなり困難を伴うものであった。
【００２４】
本発明の目的は前記従来例の不都合を解消し、クローラクレーンもしくはトラッククレーンの移動型クレーンを設置する場所を確保して、必要時にのみ移動型クレーンを乗り込ませ、函体の吊り下ろしをスペースを取ることなく、簡単かつ迅速に行うことができるオープンシールド機およびそれを用いた函体設置工法を提供することにある。
【課題を解決するための手段】
【００２５】
前記目的を達成するため本発明は、オープンシールド機としては、第１に、  左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機のテール部の前半の上床部に移動型クレーンの載置ステージを形成したオープンシールド機において、テール部の前半の上床部に移動型クレーンの載置ステージを形成し、載置ステージはオープンシールド機に対して傾斜角変更装置を介して設けたこと、第２に、傾斜角変更装置は、オープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなること、第３に、フロント部の後半の上床部にトロバケットの載置ステージを形成すること、第４に、トロバケットの載置ステージにもオープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を設けることを要旨とするものである。
【００２６】
オープンシールド機を用いた函体設置工法としては、第１に、既設水路を撤去しながら函体接続による新たな水路を構築する既設水路の改修工事において、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機において、テール部の前半の上床部に移動型クレーンの載置ステージを傾斜角変更装置を介して設けたオープンシールド機を使用し、傾斜角変更装置によりオープンシールド機の移動型クレーンの載置ステージを傾斜するオープンシールド機に対して水平に保ちながら、該載置ステージにクローラクレーンまたはトラッククレーンの移動型クレーンを載せ、該移動型クレーンで函体をテール部の後半の函体設置部で既設函体の最前部に吊り下ろすこと、第２に、函体はＵ字溝であり、既設函体の内部をレール台車により移動型クレーン吊り上げ場所である先頭位置まで搬送すること、第３に、既設水路上に設置した覆工板上にショベル系の掘削機を設置し、このショベル系の掘削機でフロント部の刃口内を掘削し、掘削土はフロント部の後半の上床部に形成した載置ステージのトロバケットに入れて搬出することを要旨とするものである。
【００２７】
請求項１および請求項５記載の本発明によれば、移動型クレーンの載置ステージに移動型クレーンを乗り入れることにより、テール部の前半の上床部に移動型クレーンを設置でき、この移動型クレーンを用いて函体をテール部の後半の函体設置部で既設函体の最前部に吊り下ろすことができる。
【００２８】
オープンシールド機１を掘進させる時はこの移動型クレーンは載置ステージから降ろして行うことができるので、ピッチング、ローリングに対してもクレーンの傾きを配慮する必要はないが、移動型クレーンを載置ステージに乗り入れさせる際に、この傾きがあると支障がある。そこで、傾斜角変更装置により載置ステージを水平に保ちながら、該載置ステージにクローラクレーンまたはトラッククレーンの移動型クレーンを載せることができる。降ろす場合も同様である。
【００２９】
また、クローラクレーンまたはトラッククレーンの移動型クレーンも傾くことはない。
【００３０】
請求項２記載の本発明によれば、傾斜角変更装置として高さ調整ボルトと高さ調整板とで、大掛かりな装置を用いずとも簡単かつ確実に載置ステージの傾斜角を変更することができる。
【００３１】
請求項３記載の本発明によれば、フロント部の後半の上床部にトロバケットを置いてこれにより残土の搬出を効率的に行うことができる。
【００３２】
請求項４記載の本発明によれば、トロバケットの載置ステージも傾斜角変更装置を設けることで、ピッチング、ローリングに対して水平を確保できる。
【００３３】
請求項６記載の本発明によれば、函体はＵ字溝であるので、既設函体は上方が開放され、既設函体の内部をレール台車により移動型クレーン吊り上げ場所である先頭位置まで搬送する函体をそのまま吊り上げることができ、函体の搬入・移動についても場所を取らずに、安全に行うことができる。
【００３４】
請求項７記載の本発明によれば、既設水路を撤去しながら函体接続による新たな水路を構築する既設水路の改修工事において、ショベル系の掘削機の設置と移動型クレーンの設置とを直状的に並べて、オープンシールド機の掘進と、函体の設置を無駄のない動きで合理的に行うことができる。
【発明の効果】
【００３５】
以上述べたように本発明のオープンシールド機およびそれを用いた函体設置工法は、クローラクレーンもしくはトラッククレーンの移動型クレーンを設置する場所を確保して、必要時にのみ移動型クレーンを乗り込ませ、函体の吊り下ろしをスペースを取ることなく、簡単かつ迅速に行うことができるものである。
【発明を実施するための形態】
【００３６】
以下、図面について本発明の実施の形態を詳細に説明する。図１は本発明のオープンシールド機およびそれを用いた函体設置工法の１実施形態を示す縦断側面図、図２は同上平面図である。
【００３７】
オープンシールド機１の概要については、前記のごとく、機体を前後方向で複数に分割し、フロント部２とテール部３はいずれも左右側壁板を有する矩形の機体とし、テール部後半を函体設置部とし、函体設置部の前側に後方へ向けてシールドジャッキ５を左右に寄せて、また、上下複数段に配設し、テール部３の前端は縮径してフロント部２の後端に入り込むもので、これによりフロント部２とテール部３との間には隙間が確保され、これが中折れ部１６となる。
【００３８】
フロント部２の後部に、後方へ向けて中折ジャッキ４を左右によせて、また上下複数段に配設した。図示は省略するが、フロント部２の前端に可動分割刃口があり、図中４１はそのスライドジャッキである。
【００３９】
本発明はテール部３の前半の上床部に移動型クレーン３２の載置ステージ３０を形成した。
【００４０】
また、フロント部２の後半の上床部にトロバケット３３の載置ステージ３１を形成する。
【００４１】
これら載置ステージ３０や載置ステージ３１は鋼板等で形成され、固設のものとしてもよいが、覆工板を利用することができる。
【００４２】
また、本発明は載置ステージ３０や載置ステージ３１は図４、図５に示すように、オープンシールド機１に対して傾斜角変更装置４２を介して設けた。
【００４３】
この傾斜角変更装置４２は、ジャッキ作用を行う高さ調整ボルト４３と高さ調整ボルト４３で角度変更した載置ステージ３０や載置ステージ３１を支承する高さ調整板４４からなる。
【００４４】
オープンシールド機１の側壁板の外側面に支持ブラケット４５を突設し、一方、載置ステージ３０や載置ステージ３１のオープンシールド機１のからの張り出し側部にはボルト貫通孔４７を形成して、その下端出口部にはナット４６を溶接し、ボルト貫通孔４７を上から貫通する高さ調整ボルト４３がナット４６に螺合し、かつ、その先端がナット４６からでて支持ブラケット４５に当接するようにした。
【００４５】
支持ブラケット４５の上面にＲ加工した凹部５２を形成し、高さ調整ボルト４３の先端は球面としてこの凹部４７に収まる。
【００４６】
高さ調整板４４はオープンシールド機１の側壁板の上に重ねて載せるもので、高さ調整を主とする均等厚の板と傾き調整を主とする傾斜を有する板の組合せからなり、側部には押え板４８を配置した。
【００４７】
該押え板４８は図７に示すように縦の長孔スリット４９を有し、オープンシールド機１の側壁板にボルト５０により高さ調節可能に取り付けられる。
【００４８】
図６では押え板４８はオープンシールド機１の側壁板の外側のみに設けた例を示したが、オープンシールド機１の側壁板の内側にも設け、相並ぶ押え板４８に高さ調整板４４を収めるようにしてもよい。
【００４９】
なお、傾斜角変更装置４２は載置ステージ３０や載置ステージ３１の前後および左右の４個所に設けるものとする。
【００５０】
次にかかるオープンシールド機１を用いて行う本発明の函体設置工法について説明する。
【００５１】
既設水路３４を撤去しながらコンクリート函体８の接続による新たな水路を構築する既設水路の改修工事を行う場合である。
【００５２】
既設水路３４は排水ポンプ３５を設置して、空堀とし、Ｈ形鋼、横矢板などの土留３６を施す。そして、オープンシールド機１を掘進させながら土留３６を撤去しながら新たな水路を構築する。
【００５３】
オープンシールド機１によるオープンシールド工法は前記のごとくであり、掘削機１２でフロント部２の前面又は上面から土砂を掘削しかつ排土してオープンシールド機１を前進させ、既設のコンクリート函体８の前に新たなコンクリート函体８をテール部３内に吊り降す。
【００５４】
オープンシールド機１のテール部３内で縮めたシールドジャッキ５の後方にプレスバー１０をセットし、シールドジャッキ５を伸長して既設のコンクリート函体８に反力をとってオープンシールド機１を前進させ、以下、同様の掘進及びコンクリート函体８のセット工程を繰返して、順次コンクリート函体８を縦列に地中に埋設し、地下構造物を形成する。図中４０は可塑状裏込注入材である。
【００５５】
そして、掘削機１２でフロント部２の前面又は上面から土砂を掘削しかつ排土するには、図１〜図３に示すように既設水路３４上に覆工板３７を設置し、この覆工板３７の上にバックホー等のショベル系の掘削機１２を設置して行い、掘削土はフロント部２の後半の上床部に形成した載置ステージ３１のトロバケット３３に入れて搬出する。
【００５６】
オープンシールド機１の推進後、テール部３の前半の上床部にクローラクレーンまたはトラッククレーンの移動型クレーン３２を乗り入れさせる。
【００５７】
移動型クレーンの載置ステージ３０が段差があって地表より高くなっている場合には、載置ステージ３０脇に段差解消斜板を配置して乗り入れを行う。
【００５８】
さらに、ピッチング、ローリングでオープンシールド機１に傾きが生じている場合には、傾斜角変更装置４２により載置ステージ３０を水平に保ちながら、該載置ステージにクローラクレーンまたはトラッククレーンの移動型クレーン３２を載せることができる。降ろす場合も同様である。
【００５９】
傾斜角変更装置４２での載置ステージ３０の傾斜角変更は高さ調整ボルト４３のジャッキ作用で行い、高さ調整板４４で支承する。
【００６０】
また、フロント部２の後半の上床部に形成した載置ステージ３１をこの載置ステージ３０の延設部として利用し、移動型クレーン３２の止め位置調整として用いてもよい。
【００６１】
載置ステージ３１についても傾斜角変更装置４２で同様に傾斜角変更を行なえる。
【００６２】
コンクリート函体８はＵ字溝であり、既設のコンクリート函体８による水路も暗渠ではなく、上面が開口されたものである。
【００６３】
既設コンクリート函体８の内部にレール３８を設置し、新たに接続するコンクリート函体８をレール３８を走行するレール台車３９により移動型クレーン３２の吊り上げ場所である既設コンクリート函体８の先頭位置まで搬送する。
【００６４】
そして、移動型クレーン３２でコンクリート函体８をテール部３の後半の函体設置部で既設コンクリート函体８の最前部に吊り下ろす。
【００６５】
オープンシールド機１の推進時に移動型クレーン３２を載せたままオープンシールド機１を進めることも可能である。
【図面の簡単な説明】
【００６６】
【図１】本発明のオープンシールド機およびそれを用いた函体設置工法の１実施形態を示す縦断側面図である。
【図２】本発明のオープンシールド機およびそれを用いた函体設置工法の１実施形態を示す平面図である。
【図３】既設水路部分の正面図である。
【図４】本発明のオープンシールド機の正常時の正面図である。
【図５】本発明のオープンシールド機のローリング修正時の正面図である。
【図６】傾斜角変更装置の正面図である。
【図７】傾斜角変更装置の押え板の正面図である。
【図８】オープンシールド機の概要を示す縦断正面図である。
【図９】オープンシールド機の概要を示す縦断側面図である。
【図１０】オープンシールド工法の第１工程を示す側面図である。
【図１１】オープンシールド工法の第２工程を示す側面図である。
【図１２】オープンシールド工法の第３工程を示す側面図である。
【図１３】オープンシールド工法の第４工程を示す側面図である。
【図１４】従来例を示す側面である。
【符号の説明】
【００６７】
１…オープンシールド機
１ａ，１ｂ…側壁板            １ｃ…底板
２…フロント部                ３…テール部
４…中折ジャッキ              ５…シールドジャッキ
６…可動分割刃口              ７…側方土留板
８…コンクリート函体          ９…ストラット
１０…プレスバー              １１…発進坑
１２…掘削機                  １３…到達坑
１４…ダンプ                  １５…グラウト機
１６…中折れ部                １７…架構
１８…巻上機                  １９…門型クレーン
２１…コンクリート函体吊り上げ部
２２…ジャッキ                ２３…台車
２４…吊り治具                ２５…支柱
２６…梁材                    ２７…吊り上げ部
２９…隔壁
３０…載置ステージ            ３１…載置ステージ
３２…移動型クレーン          ３３…トロバケット
３４…既設水路                ３５…排水ポンプ
３６…土留                    ３７…覆工板
３８…レール                  ３９…レール台車
４０…可塑状裏込注入材        ４１…スライドジャッキ
４２…傾斜角変更装置          ４３…高さ調整ボルト
４４…高さ調整板              ４５…支持ブラケット
４６…ナット                  ４７…ボルト貫通孔
４８…押え板                  ４９…長孔スリット
５０…ボルト                  ５２…凹部
【図１】
2018105004.tif 000003
【図２】
2018105004.tif 000004
【図３】
2018105004.tif 000005
【図４】
2018105004.tif 000006
【図５】
2018105004.tif 000007
【図６】
2018105004.tif 000008
【図７】
2018105004.tif 000009
【図８】
2018105004.tif 000010
【図９】
2018105004.tif 000011
【図１０】
2018105004.tif 000012
【図１１】
2018105004.tif 000013
【図１２】
2018105004.tif 000014
【図１３】
2018105004.tif 000015
【図１４】
2018105004.tif 000016
【手続補正書】
【提出日】平成30年2月13日(2018.2.13)
【手続補正１】
【補正対象書類名】明細書
【補正対象項目名】全文
【補正方法】変更
【補正の内容】
【発明の詳細な説明】
【技術分野】
【０００１】
本発明は、オープンシールド機およびそれを用いた河川の改修での函体設置工法に関するものである。
【背景技術】
【０００２】
周知のごとくオープンシールド工法は、開削工法（オープン工法）とシールド工法の長所を生かした合理性に富む工法であり、このオープンシールド工法では、シールド機を前方の機体の後端に後方の機体の前端が嵌入して、相互の嵌合部で屈曲可能としてカーブ施工を可能としたり、方向修正を行えるようにしたものがある。
【０００３】
その一例を説明すると、オープンシールド機１は、図８に示すように基本的には左右の側壁板１ａ，１ｂとこれら側壁板１ａ，１ｂと同程度の長さでその間を連結する底板１ｃとからなる前面、後面及び上面を開口したシールド機である。
【０００４】
該オープンシールド機１は図９に示すように機体を前後方向で複数に分割し、フロント部２としての前方の機体の後端にテール部３としての後方の機体の前端が嵌入して、相互の嵌合部で屈曲可能とした中折れ部１６を形成している。
【０００５】
フロント部２は主として掘削を行うもので、前端と上面を開放面としてあり、先端が刃口部となり、機体内で後部に後方へ向けて中折ジャッキ４を左右によせて、また上下複数段に配設している。
【０００６】
これに対してテール部３はコンクリート函体８の設置を行うもので、機体内で前半は前部に後方へ向けてシールドジャッキ５を左右によせて、また上下複数段に配設したジャッキ部であり、後半は函体を吊り下す函体設置部となる。
【０００７】
図中６はフロント部２の前端に設けた可動分割刃口、７はテール部３の後端に設けた側方土留板、９はストラット、１０はプレスバー（押角）である。
【０００８】
このようなオープンシールド機１を使用するオープンシールド工法は、図１０〜図１３に示すように、発進坑と到達坑との間で施工される。発進坑１１内で前記オープンシールド機を組立て、発進坑１１の前の地盤を地上に設置したショベル系の掘削機１２で掘削し、該オープンシールド機１のシールドジャッキ５を伸長して発進坑１１内の反力壁に反力をとってオープンシールド機１を前進させ、地下構造物を形成する第１番目のコンクリート函体８を上方から吊り降し、オープンシールド機１のテール部３内で縮めたシールドジャッキ５の後方にストラット９およびプレスバー１０とともにセットする。
【０００９】
また、発進坑１１はシートパイル等の土留壁で構成し、オープンシールド機１を発進させるにはこの土留壁を一部鏡切りするが、必要に応じて薬液注入等で発進坑１１の前方部分に地盤改良を施しておくこともある。
【００１０】
次いで、同様に掘削機１２でフロント部２の前面又は上面から土砂を掘削しかつ排土してオープンシールド機１を前進させ、前記第１番目のコンクリート函体８の前に第２番目のコンクリート函体８をテール部３内に吊り降す。
【００１１】
以下、同様の掘進及びコンクリート函体８のセット工程を繰返して、順次コンクリート函体８を縦列に地中に埋設し、後方のコンクリート函体８上にダンプ１４で埋戻しを施し、オープンシールド機１が到達坑１３まで達したならばこれを分解・撤去して工事を完了する。図中１５はグラウト機である。
【００１２】
下記特許文献は函体の吊り下ろしをスペースを取ることなく、簡単かつ迅速に行うことができるオープンシールド機として本願発明者が提案し、特許を取得したものである。
【特許文献１】特許第３１９４１９０号公報
【００１３】
図１４に示すように特許文献１は、オープンシールド機１は機体の前後方向で隔壁２９で仕切り、フロント部２の前半を主として掘削を行う掘削部、テール部３の後半をコンクリート函体８の吊降ろして設置する函体設置部とし、函体設置部はその前側に後方へ向けてシールドジャッキ５を左右によせて、また上下複数段に配設した。
【００１４】
オープンシールド機１のテール部３の前記函体設置部の上方に支柱２５と梁材２６からなる架構１７にチェーンブロック等の巻上機１８を前後動および左右動自在に設けてなるコンクリート函体吊降ろし用の門型クレーン１９を立設した。
【００１５】
巻上機１８の前後動および左右動の機構としては、巻上機１８が梁材２６をレールとして自走車輪等で移動できるようにする。
【００１６】
また、前記梁材２６は前方および後方に延設してオープンシールド機１の前方に吊り上げ部２７を突設し、また、後方にコンクリート函体吊り上げ部２１を突設するようにした。これら吊り上げ部２７およびコンクリート函体吊り上げ部２１は巻上機１８が前後方向に移動できる部分である。図中２４はコンクリート函体８の吊り治具である。
【００１７】
前記支柱２５は４本であるが、その各々はオープンシールド機１からジャッキ２２を介在して傾斜修正可能に立上げるようにする。
【００１８】
このようにして掘削機１２で掘削部の前面又は上面から土砂を掘削しかつ排土してオープンシールド機１が前進するときは門型クレーン１９もともに移動する。
【００１９】
そして吊り降ろし用のコンクリート函体８は縦列の並ぶ既設のコンクリート函体８の上面を搬入路として台車２３等でコンクリート函体吊り上げ部２１に下まで運び込み、そのまま巻上機１８で吊り込んでオープンシールド機１の後部の函体設置部の上方まで移動させ、該函体設置部内に吊り降す。
【００２０】
また、掘削時での使用も可能であり、オープンシールド機１の前方に突設した吊り上げ部２７まで巻上機１８を移動させ、この巻上機１８にバケット等（図示せず）を吊り下げて、掘削部に近付けてバックホー等の掘削機で掘削した土砂をバケット等に受け、そのまま後方に移動させ、ダンプ等に積み替えることなどができる。
【００２１】
なお、オープンシールド機１は方向およびピッチング、ローリングに対して修正しながら進行するが、このようなコンクリート函体８の吊り降ろしを行う時にオープンシールド機１が傾いている場合には門型クレーン１９も傾いているが、４個のジャッキ２２を適宜伸縮して傾斜計を見ながら門型クレーン１９が水平になるようにしてから作業を行う。
【発明の開示】
【発明が解決しようとする課題】
【００２２】
前記特許文献１はコンクリート函体８の吊り降ろしを行うために門型クレーン１９を常時設置するものであり、オープンシールド機１が前進するときは門型クレーン１９もともに移動する。
【００２３】
従って、オープンシールド機１のピッチング、ローリングに対して門型クレーン１９の傾きも対処せねばならず、４個のジャッキ２２を適宜伸縮して傾斜計を見ながら門型クレーン１９が水平になるようにしているが、その修正はかなり困難を伴うものであった。
【００２４】
本発明の目的は前記従来例の不都合を解消し、クローラクレーンもしくはトラッククレーンの移動型クレーンを設置する場所を確保して、必要時にのみ移動型クレーンを乗り込ませ、函体の吊り下ろしをスペースを取ることなく、簡単かつ迅速に行うことができるオープンシールド機およびそれを用いた函体設置工法を提供することにある。
【課題を解決するための手段】
【００２５】
前記目的を達成するため本発明は、オープンシールド機としては、第１に、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機のテール部の前半の上床部に移動型クレーンの載置ステージを形成したオープンシールド機において、テール部の前半の上床部に移動型クレーンの載置ステージを形成し、載置ステージはオープンシールド機に対して、オープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を介して設けたこと、第２に、フロント部の後半の上床部にトロバケットの載置ステージを形成すること、第３に、トロバケットの載置ステージにもオープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を設けることを要旨とするものである。
【００２６】
オープンシールド機を用いた函体設置工法としては、第１に、既設水路を撤去しながら函体接続による新たな水路を構築する既設水路の改修工事において、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機において、テール部の前半の上床部に移動型クレーンの載置ステージを、オープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を介して設けたオープンシールド機を使用し、傾斜角変更装置によりオープンシールド機の移動型クレーンの載置ステージを傾斜するオープンシールド機に対して水平に保ちながら、該載置ステージにクローラクレーンまたはトラッククレーンの移動型クレーンを載せ、該移動型クレーンで函体をテール部の後半の函体設置部で既設函体の最前部に吊り下ろすこと、第２に、函体はＵ字溝であり、既設函体の内部をレール台車により移動型クレーン吊り上げ場所である先頭位置まで搬送すること、第３に、既設水路上に設置した覆工板上にショベル系の掘削機を設置し、このショベル系の掘削機でフロント部の刃口内を掘削し、掘削土はフロント部の後半の上床部に形成した載置ステージのトロバケットに入れて搬出することを要旨とするものである。
【００２７】
請求項１および請求項４記載の本発明によれば、移動型クレーンの載置ステージに移動型クレーンを乗り入れることにより、テール部の前半の上床部に移動型クレーンを設置でき、この移動型クレーンを用いて函体をテール部の後半の函体設置部で既設函体の最前部に吊り下ろすことができる。
【００２８】
オープンシールド機１を掘進させる時はこの移動型クレーンは載置ステージから降ろして行うことができるので、ピッチング、ローリングに対してもクレーンの傾きを配慮する必要はないが、移動型クレーンを載置ステージに乗り入れさせる際に、この傾きがあると支障がある。そこで、傾斜角変更装置により載置ステージを水平に保ちながら、該載置ステージにクローラクレーンまたはトラッククレーンの移動型クレーンを載せることができる。降ろす場合も同様である。
【００２９】
また、クローラクレーンまたはトラッククレーンの移動型クレーンも傾くことはない。
【００３０】
また、本発明によれば、傾斜角変更装置として高さ調整ボルトと高さ調整板とで、大掛かりな装置を用いずとも簡単かつ確実に載置ステージの傾斜角を変更することができる。
【００３１】
請求項２記載の本発明によれば、フロント部の後半の上床部にトロバケットを置いてこれにより残土の搬出を効率的に行うことができる。
【００３２】
請求項３記載の本発明によれば、トロバケットの載置ステージも傾斜角変更装置を設けることで、ピッチング、ローリングに対して水平を確保できる。
【００３３】
請求項５記載の本発明によれば、函体はＵ字溝であるので、既設函体は上方が開放され、既設函体の内部をレール台車により移動型クレーン吊り上げ場所である先頭位置まで搬送する函体をそのまま吊り上げることができ、函体の搬入・移動についても場所を取らずに、安全に行うことができる。
【００３４】
請求項６記載の本発明によれば、既設水路を撤去しながら函体接続による新たな水路を構築する既設水路の改修工事において、ショベル系の掘削機の設置と移動型クレーンの設置とを直状的に並べて、オープンシールド機の掘進と、函体の設置を無駄のない動きで合理的に行うことができる。
【発明の効果】
【００３５】
以上述べたように本発明のオープンシールド機およびそれを用いた函体設置工法は、クローラクレーンもしくはトラッククレーンの移動型クレーンを設置する場所を確保して、必要時にのみ移動型クレーンを乗り込ませ、函体の吊り下ろしをスペースを取ることなく、簡単かつ迅速に行うことができるものである。
【発明を実施するための形態】
【００３６】
以下、図面について本発明の実施の形態を詳細に説明する。図１は本発明のオープンシールド機およびそれを用いた函体設置工法の１実施形態を示す縦断側面図、図２は同上平面図である。
【００３７】
オープンシールド機１の概要については、前記のごとく、機体を前後方向で複数に分割し、フロント部２とテール部３はいずれも左右側壁板を有する矩形の機体とし、テール部後半を函体設置部とし、函体設置部の前側に後方へ向けてシールドジャッキ５を左右に寄せて、また、上下複数段に配設し、テール部３の前端は縮径してフロント部２の後端に入り込むもので、これによりフロント部２とテール部３との間には隙間が確保され、これが中折れ部１６となる。
【００３８】
フロント部２の後部に、後方へ向けて中折ジャッキ４を左右によせて、また上下複数段に配設した。図示は省略するが、フロント部２の前端に可動分割刃口があり、図中４１はそのスライドジャッキである。
【００３９】
本発明はテール部３の前半の上床部に移動型クレーン３２の載置ステージ３０を形成した。
【００４０】
また、フロント部２の後半の上床部にトロバケット３３の載置ステージ３１を形成する。
【００４１】
これら載置ステージ３０や載置ステージ３１は鋼板等で形成され、固設のものとしてもよいが、覆工板を利用することができる。
【００４２】
また、本発明は載置ステージ３０や載置ステージ３１は図４、図５に示すように、オープンシールド機１に対して傾斜角変更装置４２を介して設けた。
【００４３】
この傾斜角変更装置４２は、ジャッキ作用を行う高さ調整ボルト４３と高さ調整ボルト４３で角度変更した載置ステージ３０や載置ステージ３１を支承する高さ調整板４４からなる。
【００４４】
オープンシールド機１の側壁板の外側面に支持ブラケット４５を突設し、一方、載置ステージ３０や載置ステージ３１のオープンシールド機１のからの張り出し側部にはボルト貫通孔４７を形成して、その下端出口部にはナット４６を溶接し、ボルト貫通孔４７を上から貫通する高さ調整ボルト４３がナット４６に螺合し、かつ、その先端がナット４６からでて支持ブラケット４５に当接するようにした。
【００４５】
支持ブラケット４５の上面にＲ加工した凹部５２を形成し、高さ調整ボルト４３の先端は球面としてこの凹部４７に収まる。
【００４６】
高さ調整板４４はオープンシールド機１の側壁板の上に重ねて載せるもので、高さ調整を主とする均等厚の板と傾き調整を主とする傾斜を有する板の組合せからなり、側部には押え板４８を配置した。
【００４７】
該押え板４８は図７に示すように縦の長孔スリット４９を有し、オープンシールド機１の側壁板にボルト５０により高さ調節可能に取り付けられる。
【００４８】
図６では押え板４８はオープンシールド機１の側壁板の外側のみに設けた例を示したが、オープンシールド機１の側壁板の内側にも設け、相並ぶ押え板４８に高さ調整板４４を収めるようにしてもよい。
【００４９】
なお、傾斜角変更装置４２は載置ステージ３０や載置ステージ３１の前後および左右の４個所に設けるものとする。
【００５０】
次にかかるオープンシールド機１を用いて行う本発明の函体設置工法について説明する。
【００５１】
既設水路３４を撤去しながらコンクリート函体８の接続による新たな水路を構築する既設水路の改修工事を行う場合である。
【００５２】
既設水路３４は排水ポンプ３５を設置して、空堀とし、Ｈ形鋼、横矢板などの土留３６を施す。そして、オープンシールド機１を掘進させながら土留３６を撤去しながら新たな水路を構築する。
【００５３】
オープンシールド機１によるオープンシールド工法は前記のごとくであり、掘削機１２でフロント部２の前面又は上面から土砂を掘削しかつ排土してオープンシールド機１を前進させ、既設のコンクリート函体８の前に新たなコンクリート函体８をテール部３内に吊り降す。
【００５４】
オープンシールド機１のテール部３内で縮めたシールドジャッキ５の後方にプレスバー１０をセットし、シールドジャッキ５を伸長して既設のコンクリート函体８に反力をとってオープンシールド機１を前進させ、以下、同様の掘進及びコンクリート函体８のセット工程を繰返して、順次コンクリート函体８を縦列に地中に埋設し、地下構造物を形成する。図中４０は可塑状裏込注入材である。
【００５５】
そして、掘削機１２でフロント部２の前面又は上面から土砂を掘削しかつ排土するには、図１〜図３に示すように既設水路３４上に覆工板３７を設置し、この覆工板３７の上にバックホー等のショベル系の掘削機１２を設置して行い、掘削土はフロント部２の後半の上床部に形成した載置ステージ３１のトロバケット３３に入れて搬出する。
【００５６】
オープンシールド機１の推進後、テール部３の前半の上床部にクローラクレーンまたはトラッククレーンの移動型クレーン３２を乗り入れさせる。
【００５７】
移動型クレーンの載置ステージ３０が段差があって地表より高くなっている場合には、載置ステージ３０脇に段差解消斜板を配置して乗り入れを行う。
【００５８】
さらに、ピッチング、ローリングでオープンシールド機１に傾きが生じている場合には、傾斜角変更装置４２により載置ステージ３０を水平に保ちながら、該載置ステージにクローラクレーンまたはトラッククレーンの移動型クレーン３２を載せることができる。降ろす場合も同様である。
【００５９】
傾斜角変更装置４２での載置ステージ３０の傾斜角変更は高さ調整ボルト４３のジャッキ作用で行い、高さ調整板４４で支承する。
【００６０】
また、フロント部２の後半の上床部に形成した載置ステージ３１をこの載置ステージ３０の延設部として利用し、移動型クレーン３２の止め位置調整として用いてもよい。
【００６１】
載置ステージ３１についても傾斜角変更装置４２で同様に傾斜角変更を行なえる。
【００６２】
コンクリート函体８はＵ字溝であり、既設のコンクリート函体８による水路も暗渠ではなく、上面が開口されたものである。
【００６３】
既設コンクリート函体８の内部にレール３８を設置し、新たに接続するコンクリート函体８をレール３８を走行するレール台車３９により移動型クレーン３２の吊り上げ場所である既設コンクリート函体８の先頭位置まで搬送する。
【００６４】
そして、移動型クレーン３２でコンクリート函体８をテール部３の後半の函体設置部で既設コンクリート函体８の最前部に吊り下ろす。
【００６５】
オープンシールド機１の推進時に移動型クレーン３２を載せたままオープンシールド機１を進めることも可能である。
【図面の簡単な説明】
【００６６】
【図１】本発明のオープンシールド機およびそれを用いた函体設置工法の１実施形態を示す縦断側面図である。
【図２】本発明のオープンシールド機およびそれを用いた函体設置工法の１実施形態を示す平面図である。
【図３】既設水路部分の正面図である。
【図４】本発明のオープンシールド機の正常時の正面図である。
【図５】本発明のオープンシールド機のローリング修正時の正面図である。
【図６】傾斜角変更装置の正面図である。
【図７】傾斜角変更装置の押え板の正面図である。
【図８】オープンシールド機の概要を示す縦断正面図である。
【図９】オープンシールド機の概要を示す縦断側面図である。
【図１０】オープンシールド工法の第１工程を示す側面図である。
【図１１】オープンシールド工法の第２工程を示す側面図である。
【図１２】オープンシールド工法の第３工程を示す側面図である。
【図１３】オープンシールド工法の第４工程を示す側面図である。
【図１４】従来例を示す側面である。
【符号の説明】
【００６７】
１…オープンシールド機
１ａ，１ｂ…側壁板            １ｃ…底板
２…フロント部                ３…テール部
４…中折ジャッキ              ５…シールドジャッキ
６…可動分割刃口              ７…側方土留板
８…コンクリート函体          ９…ストラット
１０…プレスバー              １１…発進坑
１２…掘削機                  １３…到達坑
１４…ダンプ                  １５…グラウト機
１６…中折れ部                １７…架構
１８…巻上機                  １９…門型クレーン
２１…コンクリート函体吊り上げ部
２２…ジャッキ                ２３…台車
２４…吊り治具                ２５…支柱
２６…梁材                    ２７…吊り上げ部
２９…隔壁
３０…載置ステージ            ３１…載置ステージ
３２…移動型クレーン          ３３…トロバケット
３４…既設水路                ３５…排水ポンプ
３６…土留                    ３７…覆工板
３８…レール                  ３９…レール台車
４０…可塑状裏込注入材        ４１…スライドジャッキ
４２…傾斜角変更装置          ４３…高さ調整ボルト
４４…高さ調整板              ４５…支持ブラケット
４６…ナット                  ４７…ボルト貫通孔
４８…押え板                  ４９…長孔スリット
５０…ボルト                  ５２…凹部
【手続補正２】
【補正対象書類名】特許請求の範囲
【補正対象項目名】全文
【補正方法】変更
【補正の内容】
【特許請求の範囲】
【請求項１】
左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機のテール部の前半の上床部に移動型クレーンの載置ステージを形成したオープンシールド機において、テール部の前半の上床部に移動型クレーンの載置ステージを形成し、載置ステージはオープンシールド機に対して、オープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を介して設けたことを特徴とするオープンシールド機。
【請求項２】
フロント部の後半の上床部にトロバケットの載置ステージを形成する請求項1記載のオープンシールド機。
【請求項３】
トロバケットの載置ステージにもオープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を設ける請求項２記載のオープンシールド機。
【請求項４】
既設水路を撤去しながら函体接続による新たな水路を構築する既設水路の改修工事において、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能として中折れ部を形成し、テール部後半を函体設置部とし、函体設置部の前側に後方へ向けてシールドジャッキを左右に寄せて、また、上下複数段に配設したオープンシールド機において、テール部の前半の上床部に移動型クレーンの載置ステージを、オープンシールド機側壁板に設ける支持ブラケットに対して載置ステージ側から突き出てその先端が当接する高さ調整ボルトと、オープンシールド機側壁板上辺部に突出するように重ねて載置ステージを支承する高さ調整板からなる傾斜角変更装置を介して設けたオープンシールド機を使用し、傾斜角変更装置によりオープンシールド機の移動型クレーンの載置ステージを傾斜するオープンシールド機に対して水平に保ちながら、該載置ステージにクローラクレーンまたはトラッククレーンの移動型クレーンを載せ、該移動型クレーンで函体をテール部の後半の函体設置部で既設函体の最前部に吊り下ろすことを特徴とするオープンシールド機を用いた函体設置工法。
【請求項５】
函体はＵ字溝であり、既設函体の内部をレール台車により移動型クレーン吊り上げ場所である先頭位置まで搬送する請求項４記載のオープンシールド機を用いた函体設置工法。
【請求項６】
既設水路上に設置した覆工板上にショベル系の掘削機を設置し、このショベル系の掘削機でフロント部の刃口内を掘削し、掘削土はフロント部の後半の上床部に形成した載置ステージのトロバケットに入れて搬出する請求項４または請求項５記載のオープンシールド機を用いた函体設置工法。